(57)【要約】【課題】背面投射方式および前面投射方式でそれぞれ表示される各画像の左右が反転して表示される事態を確実に防止する。【解決手段】本体部２における開口部２ａの開閉を可能に構成された透過型スクリーン７と、画像Ｇ１を透過型スクリーン７に表示可能な背面投射用の投射光および画像Ｇ１に対して左右非反転の画像を反射型スクリーンに表示可能な前面投射用の投射光を切り替えて投射可能に構成された投射部とを備えたプロジェクタ１であって、透過型スクリーンによる開口部２ａの開閉を検出するための検出信号を出力する検出手段と、検出信号に基づいて開口部２ａの開閉を判別すると共に、投射部に対して、開口部２ａの閉塞を判別したときに背面投射用の投射光を投射させ、かつ開口部２ａの開放を判別したときに前面投射用の投射光を投射させる制御部とを備えている。【選択図】        図１
2004347984.tif 000002
【特許請求の範囲】
【請求項１】
その正面側に開口部が形成された本体部と、前記開口部の開閉を可能に構成された透過型スクリーンと、当該透過型スクリーンの背面に投射されることによって画像を表示可能な背面投射用の投射光および反射型スクリーンの前面に投射されることによって前記画像に対して左右非反転の画像を表示可能な前面投射用の投射光を切り替えて投射可能に構成されると共に前記本体部に収容された投射部とを備えたプロジェクタであって、
前記透過型スクリーンによる前記開口部の開閉を検出するための検出信号を出力する検出手段と、前記検出信号に基づいて前記開口部の開閉を判別すると共に、前記投射部に対して、前記開口部の閉塞を判別したときに前記背面投射用の投射光を投射させ、かつ前記開口部の開放を判別したときに前記前面投射用の投射光を投射させる制御部とを備えているプロジェクタ。
【請求項２】
前記投射部は、対向する前記透過型スクリーンおよび前記反射型スクリーンのいずれかとの間の距離を検出して前記検出信号としての距離検出信号を出力する距離検出部を前記検出手段として備えると共に、前記距離検出信号に基づく自動焦点調整を実行可能に構成され、
前記制御部は、前記距離検出信号に基づいて前記開口部の開閉を判別する請求項１記載のプロジェクタ。
【請求項３】
前記制御部は、前記距離検出信号によって特定される距離に応じた光量で前記投射部に対して前記投射光を投射させる請求項２記載のプロジェクタ。
【発明の詳細な説明】
【０００１】
【発明の属する技術分野】
本発明は、透過型スクリーンの背面に背面投射用の投射光を投射することによって画像を表示すると共に、反射型スクリーンの前面に前面投射用の投射光を投射することによって画像を表示可能に構成されたプロジェクタに関するものである。
【０００２】
【従来の技術】
この種のプロジェクタとして、出願人は、透過型スクリーン（光透過スクリーン）の脱着および交換が可能なプロジェクタ（リア型プロジェクタ）を特開平３−８３０３６号公報に開示している。このプロジェクタは、筐体（１２）、透過型の小型スクリーン（３０９）、透過型の大型スクリーン（３０９）、および投写ユニット（３００）を備えて構成されている。この場合、小型スクリーン（３０９）および大型スクリーン（３０９）は、筐体（１２）にそれぞれ脱着可能に構成されている。このため、このプロジェクタでは、小型スクリーン（３０９）および大型スクリーン（３０９）のうちのいずれか一方を選択して（交換して）筐体（１２）に装着することが可能になっている。また、投写ユニット（３００）は、筐体（１２）の内部に収容されて、筐体（１２）に装着された小型スクリーン（３０９）または大型スクリーン（３０９）の背面に投射光（投写光）を投射することによってスクリーンサイズに応じたサイズの画像を背面投射方式（リアプロジェクション方式）で表示可能に構成されている。
【０００３】
一方、このプロジェクタでは、小型スクリーン（３０９）および大型スクリーン（３０９）のいずれもが装着されていない状態では、筐体（１２）の正面の開口部から例えば大型の反射型スクリーン（３０９）の前面に投射光を投射することにより、大画面の画像を前面投射方式（フロントプロジェクション方式）で表示することが可能になっている。したがって、このプロジェクタでは、互いにサイズの異なる３つのスクリーンの中から選択したスクリーンにそのスクリーンサイズに応じたサイズの画像を表示させることができるため、例えば、少人数向けのビデオ上映や多人数向けのプレゼンテーションなどの数多くの利用形態に対応することが可能になっている。
【０００４】
この場合、背面投射方式では、透過型スクリーンの背面に投射した投射光を前面側に拡散させつつ透過させることで画像を表示している。一方、前面投射方式では、反射型スクリーンの前面に投射した投射光を前面側に拡散させつつ反射させることで画像を表示している。したがって、同じ投射光を投射したときには、両スクリーンにそれぞれ表示される画像は、その左右が互いに反転することとなる。このため、一般的には、この種のプロジェクタでは、切替ボタンが配設されており、この切替ボタンを操作することにより、各々に施された陰影の左右を互いに反転させた背面投射用の投射光と前面投射用の投射光とを切り替えて投射可能に構成されている。したがって、背面投射方式で表示される画像（上記のプロジェクタでは、小型スクリーン（３０９）や大型スクリーン（３０９）に表示される画像）と、前面投射方式で表示される画像（上記のプロジェクタでは、反射型スクリーン（３０９）に表示される画像）との左右反転を防止することが可能となっている。
【０００５】
【特許文献１】
特開平３−８３０３６号公報（第２−３頁）
【０００６】
【発明が解決しようとする課題】
ところが、この種のプロジェクタには、以下の改善すべき課題がある。すなわち、この種のプロジェクタでは、背面投射用の投射光と前面投射用の投射光とを切り替えて投射するためには、切替ボタンの手動操作が必要となっている。この場合、左右の方向を認識可能な図柄（例えば文字）が含まれていない画像を表示したときには、たとえ切替ボタンを操作し忘れて左右が反転したとしても、そのことを認識するのが困難なことがある。したがって、この種のプロジェクタには、切替ボタンを操作し忘れたときに左右反転した画像が表示されるという不都合があり、これを改善するのが好ましい。
【０００７】
本発明は、かかる課題に鑑みてなされたものであり、背面投射方式および前面投射方式でそれぞれ表示される各画像の左右が反転して表示される事態を確実に防止し得るプロジェクタを提供することを主目的とする。
【０００８】
【課題を解決するための手段】
上記目的を達成すべく本発明に係るプロジェクタは、その正面側に開口部が形成された本体部と、前記開口部の開閉を可能に構成された透過型スクリーンと、当該透過型スクリーンの背面に投射されることによって画像を表示可能な背面投射用の投射光および反射型スクリーンの前面に投射されることによって前記画像に対して左右非反転の画像を表示可能な前面投射用の投射光を切り替えて投射可能に構成されると共に前記本体部に収容された投射部とを備えたプロジェクタであって、前記透過型スクリーンによる前記開口部の開閉を検出するための検出信号を出力する検出手段と、前記検出信号に基づいて前記開口部の開閉を判別すると共に、前記投射部に対して、前記開口部の閉塞を判別したときに前記背面投射用の投射光を投射させ、かつ前記開口部の開放を判別したときに前記前面投射用の投射光を投射させる制御部とを備えている。
【０００９】
このプロジェクタでは、検出手段が、透過型スクリーンによる開口部の開閉（開放および閉塞）を検出するための検出信号を出力し、制御部が、検出信号に基づいて開口部の開閉を判別する。この場合、制御部は、投射部に対して、開口部の閉塞を判別したときに背面投射用の投射光を投射させ、開口部の開放を判別したときに前面投射用の投射光を投射させる。これにより、開口部が閉塞されているときには、透過型スクリーンの背面に背面投射用の投射光が投射されて画像が表示される。また、開口部が開放されているときには、例えば開口部の前方に配設された反射型スクリーンの前面に前面投射用の投射光が投射されて、透過型スクリーンに表示される画像に対して左右非反転の画像が表示される。この場合、従来のプロジェクタとは異なり、切替ボタンを操作することなく透過型スクリーンを開閉するだけで、背面投射用の投射光および前面投射用の投射光が制御部の制御によって自動的に切り替えて投射される。したがって、例えば切替ボタンの操作のし忘れによって透過型スクリーンおよび反射型スクリーンに表示される各画像（つまり、背面投射方式で表示される画像および前面投射方式で表示される画像）の左右が反転するという不都合を確実に防止することが可能となる。
【００１０】
また、本発明に係るプロジェクタは、上記のプロジェクタにおいて、前記投射部は、対向する前記透過型スクリーンおよび前記反射型スクリーンのいずれかとの間の距離を検出して前記検出信号としての距離検出信号を出力する距離検出部を前記検出手段として備えると共に、前記距離検出信号に基づく自動焦点調整を実行可能に構成され、前記制御部は、前記距離検出信号に基づいて前記開口部の開閉を判別する。
【００１１】
このプロジェクタでは、投射部内の距離検出部が、対向する透過型スクリーンおよび反射型スクリーンのいずれかとの間の距離を検出して距離検出信号を出力し、投射部が、距離検出信号に基づいて自動焦点調整を実行する。このため、手動で焦点調整を行うことなく画像を鮮明に表示することが可能となる。また、制御部が、距離検出部から出力された距離検出信号に基づいて開口部の開閉を判別する。このため、開口部の開閉を検出する専用の検出手段を設けることなく、自動焦点調整用の距離検出部を利用して背面投射用の投射光および前面投射用の投射光を切り替えて投射することができるため、その分だけプロジェクタを簡易かつ安価に構成することが可能となる。
【００１２】
また、本発明に係るプロジェクタは、上記のプロジェクタにおいて、前記制御部は、前記距離検出信号によって特定される距離に応じた光量で前記投射部に対して前記投射光を投射させる。
【００１３】
このプロジェクタでは、制御部が、距離検出信号によって特定される距離に応じた光量で投射部に対して背面投射用の投射光または前面投射用の投射光のいずれかを投射させる。このため、手動で光量調整を行うことなく確実かつ容易に背面投射画像および前面投射画像を見易い明るさで表示させることが可能となる。
【００１４】
【発明の実施の形態】
以下、添付図面を参照して、本発明に係るプロジェクタの好適な実施の形態について説明する。
【００１５】
最初に、プロジェクタ１の構成について、図面を参照して説明する。図１に示すプロジェクタ１は、本発明に係るプロジェクタの一例であって、背面投射方式で例えば同図に示す画像Ｇ１をスクリーンパネル７に表示し、かつ、図７に示すように、前面投射方式で例えば画像Ｇ２をスクリーンパネル８に表示可能に構成されている。具体的には、プロジェクタ１は、図２に示すように、本体部２、投射部３、ＲＯＭ４、制御部５、画像データ処理部６およびスクリーンパネル７，８を備えて構成されている。なお、プロジェクタ１は、実際には、音声信号処理部およびスピーカ等を備えているが、本発明についての理解を容易とするために、これらについての図示および説明を省略する。本体部２は、図１，５に示すように、全体として箱形に形成されて、正面側（同図では右側）に開口部２ａが形成されている。この場合、本体部２には、投射部３、ＲＯＭ４、制御部５および画像データ処理部６が収容されている。
【００１６】
投射部３は、図２に示すように、光変調ユニット１１、投射レンズ１２および距離センサ１３を備えている。この場合、投射部３は、図４，６に示すように、本体部２の内部における背面側に配設されて、背面投射用の投射光Ｌ１や前面投射用の投射光Ｌ２（以下、区別しないときには「投射光Ｌ」ともいう）を前方に投射する。光変調ユニット１１は、図３に示すように、光源２１、光分離光学系２２、光変調光学系２３、およびプリズム２４を備えて構成されている。光源２１は、高圧水銀灯やメタルハライドランプ等の光源ランプ、リフレクタ、および集光レンズを備えて構成されて、白色光を射出する。光分離光学系２２は、一例として、複数のダイクロイックミラー、および複数の全反射ミラーを備えて構成されて、光源２１から射出された白色光を赤色光、緑色光および青色光に分離して光変調光学系２３に案内する。光変調光学系２３は、光分離光学系２２によって分離された赤色光、緑色光および青色光に対して制御部５から出力される画像データＤ１，Ｄ２（図２参照）に基づく陰影をそれぞれ施すことによって光変調する３つの液晶ライトバルブを備えて構成されている。この場合、各液晶ライトバルブにおける光の入射側および射出側には、図示しない入射側偏光板および射出側偏光板がそれぞれ配設されている。プリズム２４は、光変調光学系２３の各液晶ライトバルブによって光変調された赤色光、緑色光および青色光を合成して投射光Ｌを射出する。
【００１７】
投射レンズ１２は、一例として、オートフォーカス機能を備えた（自動焦点調整を実行可能な）ズームレンズであって、複数のレンズおよび駆動機構を備えて構成されている。この場合、投射レンズ１２は、制御部５の制御下で、投射光Ｌ１，Ｌ２を所定の拡大率で拡大すると共に、スクリーンパネル７，８に表示する画像の自動焦点調整を実行する。
【００１８】
距離センサ１３は、本発明における距離検出部に相当し、一例として、対向する測定対象体（この場合、スクリーンパネル７，８）との間の距離を赤外線方式で検出する。この場合、距離センサ１３は、赤外線Ｒｓ（図２，４，６参照）を出力する赤外線光源と、スクリーンパネル７，８で反射した赤外線Ｒｓの反射光Ｒｒ（同図参照）を受光してスクリーンパネル７，８と距離センサ１３との間の距離（検出距離）を特定可能な距離検出信号Ｓ２を出力する赤外線センサとを備えて構成されている。
【００１９】
ＲＯＭ４は、制御部５の動作プログラムなどを記憶する。また、ＲＯＭ４は、本体部２の開口部２ａを閉塞した状態（閉じられた状態）におけるスクリーンパネル７と距離センサ１３との距離（規定距離）を示す規定距離データＤ３を記憶する。さらに、ＲＯＭ４は、画像を見易い明るさ（適正な明るさ）で表示するための光源ランプの発光量（投射光Ｌの光量）や、スクリーンパネル７，８の全域に亘って画像を大きく（適正な大きさで）表示するための投射光Ｌの拡大率などを特定可能な適正値データＤ４を記憶する。この適正値データＤ４には、距離センサ１３とスクリーンパネル７，８との間の距離に対応させられた発光量および拡大率に関する複数のデータが含まれている。この場合、一例として、発光量は距離に比例するように規定され、拡大率は距離に反比例するように規定されている。
【００２０】
制御部５は、プロジェクタ１の各部を総括的に制御する。また、制御部５は、図外の光源ランプ駆動部を制御して、光源２１の光源ランプを発光させる。この場合、制御部５は、距離センサ１３から出力される距離検出信号Ｓ２によって特定される検出距離に対応する発光量をＲＯＭ４に記憶されている適正値データＤ４に基づいて特定して、その発光量で光源ランプを発光させる。また、制御部５は、距離検出信号Ｓ２によって特定される検出距離と、ＲＯＭ４に記憶されている規定距離データＤ３によって示される規定距離とを比較することによって開口部２ａの開閉（スクリーンパネル７の開閉）を判別する。具体的には、制御部５は、検出距離が規定距離以下のときには、開口部２ａが閉塞されていると判別し、検出距離が規定距離よりも長いときには、開口部２ａが開放されていると判別する。この場合、制御部５は、開口部２ａが閉塞されていると判別したときには、画像データ処理部６から出力される画像データＤ１を投射部３（光変調光学系２３の各液晶ライトバルブ）に転送することにより、背面投射用の投射光Ｌ１を投射させる。一方、制御部５は、開口部２ａが開放されていると判別したときには、画像データＤ１を変換して生成した画像データＤ２を投射部３に出力することにより、前面投射用の投射光Ｌ２を投射させる。この場合、制御部５は、画像データＤ１，Ｄ２に基づく各陰影（液晶ライトバルブによって光に施される陰影）の左右が互いに反転するように画像データＤ１を画像データＤ２に変換する。
【００２１】
また、制御部５は、投射部３の投射レンズ１２に対して投射光Ｌの拡大、および画像の焦点調整を実行させる。この場合、制御部５は、距離センサ１３から出力される距離検出信号Ｓ２によって特定される検出距離に対応する拡大率をＲＯＭ４に記憶されている適正値データＤ４に基づいて特定して、その拡大率で投射光Ｌを拡大させる。画像データ処理部６は、プロジェクタ１の外部から入力した画像信号Ｓ１を変換して画像データＤ１を出力する。
【００２２】
スクリーンパネル７は、透過型のスクリーンであって、一例として、光を平行光に変換するフレネルレンズ、およびフレネルレンズによって変換された平行光を拡散しつつ透過するレンチキュラレンズを備えて構成されて、その背面に投射された投射光Ｌ１を前面側に拡散することによって前面側から視認可能な画像（例えば図１に示す画像Ｇ１）を表示（結像）する。また、スクリーンパネル７は、本体部２の開口部２ａよりもやや大きめの長方形の板状に形成されると共に、図１，５に示すように、開口部２ａの縁部に例えば蝶番を介して開口部２ａを開閉（開放または閉塞）可能に取り付けられている。
【００２３】
スクリーンパネル８は、反射型の大形スクリーンであって、一例として、樹脂（例えば塩化ビニール）製のシートにアルミニウムの微粒子を塗布して形成されて、その前面に投射された投射光Ｌ２を前面側（投射側）に拡散しつつ反射することによって前面側から視認可能な画像を表示（結像）する。
【００２４】
次に、プロジェクタ１の全体的な動作について、図面を参照して説明する。このプロジェクタ１では、スクリーンパネル７に画像を表示させる際には、まず、スクリーンパネル７を閉じて（開口部２ａを閉塞して）電源を投入する。これに応じて、投射部３の距離センサ１３が、図４に示すように、赤外線Ｒｓを射出する。この際に、赤外線Ｒｓがスクリーンパネル７で反射して、その反射光Ｒｒが距離センサ１３に入射する。この際に、距離センサ１３は、例えば反射光Ｒｒの強度に応じた距離検出信号Ｓ２を出力する。以後、距離センサ１３は、所定の周期で赤外線Ｒｓの射出および距離検出信号Ｓ２の出力を繰り返して実行する。次いで、制御部５が、距離センサ１３から出力された距離検出信号Ｓ２によって特定される検出距離と、ＲＯＭ４に記憶されている規定距離データＤ３によって示される規定距離とを比較することにより、スクリーンパネル７の開閉を判別する。この場合、制御部５は、検出距離と規定距離とが同じため、スクリーンパネル７が閉じられていると判別する。
【００２５】
続いて、制御部５は、図外の光源ランプ駆動部に対して光源２１に電流を供給させることによって光源ランプを発光させると共に、画像データ処理部６から出力された画像データＤ１を光変調光学系２３に転送する。これに応じて、光源２１の光源ランプが発光して白色光を射出する。この際に、制御部５は、ＲＯＭ４に記憶されている適正値データＤ４に基づいて検出距離に対応する発光量を特定して、その発光量で光源ランプを発光させる。したがって、画像を見易い明るさで表示するのに十分な光量の白色光が光源２１から射出される。次に、光源２１から射出された白色光は、光分離光学系２２によって赤色光、緑色光および青色光に分光されて光変調光学系２３の各液晶ライトバルブに案内される。次いで、光変調光学系２３の各液晶ライトバルブが、制御部５によって転送された画像データＤ１に基づく陰影を赤色光、緑色光および青色光に施して光変調する。
【００２６】
続いて、プリズム２４が、各液晶ライトバルブによって光変調された赤色光、緑色光および青色光を合成して投射光Ｌ１を射出する。続いて、投射レンズ１２が、プリズム２４から射出された投射光Ｌ１を拡大してスクリーンパネル７に投射する。この際に、投射レンズ１２は、制御部５の制御に従い、スクリーンパネル７までの距離（検出距離）に対応する拡大率で投射光Ｌ１を拡大すると共に、焦点調整を実行する。これにより、図１に示すように、スクリーンパネル７に画像Ｇ１が表示される。この場合、光源２１が十分な発光量で発光している（投射光Ｌ１が十分な光量で投射されている）ため、画像Ｇ１が見易い明るさで表示される。また、投射レンズ１２によって焦点調整がされているため、画像Ｇ１が鮮明に表示される。さらに、投射光Ｌ１が検出距離に対応する適正な拡大率で拡大されているため、画像Ｇ１がスクリーンパネル７の全域に亘って表示される。なお、光源ランプの光量調整、および画像の焦点調整を手動操作で行うこともできる。
【００２７】
一方、スクリーンパネル８に画像を表示させる際には、図７に示すように、まず、スクリーンパネル８を本体部２の前方（開口部２ａの前方）に設置する。次に、図５に示すようにスクリーンパネル７を開放する。この際に、距離センサ１３は、図６に示すように、赤外線Ｒｓを射出すると共に、スクリーンパネル８で反射した赤外線Ｒｓの反射光Ｒｒを受光して距離検出信号Ｓ２を制御部５に出力する。続いて、制御部５は、距離検出信号Ｓ２によって特定される検出距離と規定距離とを比較する。この場合、制御部５は、検出距離が規定距離よりも長いため、開口部２ａが開放されている（スクリーンパネル８が開けられている）と判別する。
【００２８】
次いで、制御部５は、光源ランプ駆動部に対して光源２１に電流を供給させることによって光源ランプを発光させる。この際に、制御部５は、ＲＯＭ４に記憶されている適正値データＤ４に基づいて投射部３とスクリーンパネル８との間の距離（検出距離）に対応する発光量を特定して、その発光量で光源ランプを発光させる。この場合、発光量は、投射部３とスクリーンパネル８との間の距離に比例して規定されている。したがって、たとえ投射部３とスクリーンパネル８との間の距離が長い場合であったとしても、画像を見易い明るさで表示するのに十分な光量の白色光が光源２１から射出される。続いて、制御部５は、画像データＤ１を変換することにより、投射光Ｌ２を投射させるための画像データＤ２を生成して出力する。次に、光変調光学系２３の各液晶ライトバルブが、光分離光学系２２によって分離された赤色光、緑色光および青色光を画像データＤ２に基づく陰影を施した赤色光、緑色光および青色光にそれぞれ光変調する。この場合、画像データＤ２に基づく陰影は、画像データＤ１に基づく陰影とはその左右が反転している。このため、これらの赤色光、緑色光および青色光には、投射光Ｌ１を構成する赤色光、緑色光および青色光に施された陰影とはその左右が反転した陰影が施される。
【００２９】
次いで、プリズム２４が、光変調された赤色光、緑色光および青色光を合成して投射光Ｌ２を射出する。続いて、投射レンズ１２が、投射光Ｌ２を拡大してスクリーンパネル８の前面に投射する。この際に、投射レンズ１２は、制御部５の制御に従い、スクリーンパネル８までの距離（検出距離）に対応する拡大率で投射光Ｌ２を拡大すると共に、焦点調整を実行する。次に、スクリーンパネル８に投射された投射光Ｌ２は、スクリーンパネル８によって前面側に拡散されつつ反射される。これにより、図７に示すように、スクリーンパネル８に画像Ｇ２が表示される。この場合、投射光Ｌ２を構成する赤色光、緑色光および青色光に施された陰影は、投射光Ｌ１を構成する赤色光、緑色光および青色光に施された陰影とはその左右が反転している。このため、同図に示すように、画像Ｇ２は、画像Ｇ１に対して左右非反転で表示される。また、光源２１が十分な発光量で発光している（投射光Ｌ２が十分な光量で投射されている）ため、画像Ｇ２が見易い明るさで表示される。また、投射レンズ１２によって焦点調整がされているため、画像Ｇ２が鮮明に表示される。さらに、投射光Ｌ２が検出距離に対応する適正な拡大率で拡大されているため、画像Ｇ２がスクリーンパネル８の全域に亘って最も大きく表示される。
【００３０】
一方、このプロジェクタ１では、プロジェクタ１の作動中に（例えばスクリーンパネル７に画像Ｇ１を表示させている状態で）、スクリーンパネル７に対する画像表示からスクリーンパネル８に対する画像表示に切り替えたり、これとは逆にスクリーンパネル８に対する画像表示からスクリーンパネル７に対する画像表示に切り替えたりすることもできる。この場合、例えばスクリーンパネル７に対する画像表示からスクリーンパネル８に対する画像表示に切り替える際には、スクリーンパネル８を本体部２の前方に設置した後に、スクリーンパネル７を開いて開口部２ａを開放する。次に、上記した処理と同様にして、制御部５が、距離センサ１３によって出力された距離検出信号Ｓ２によって特定される検出距離と規定距離とを比較する。この場合、制御部５は、検出距離が規定距離よりも長いため、開口部２ａが開放されていると判別する。次いで、制御部５は、検出距離に対応する発光量で光源２１を発光させると共に、画像データＤ１に代えて画像データＤ２を光変調光学系２３に出力する。これにより、投射部３は、投射光Ｌ１に代えて、投射光Ｌ２を投射する。この際に、投射レンズ１２は、制御部５の制御に従い、検出距離に対応する拡大率で投射光Ｌ２を拡大すると共に、焦点調整を実行する。これにより、見易い明るさでかつ鮮明な画像Ｇ２がスクリーンパネル８全域に亘って表示される。
【００３１】
これに対して、スクリーンパネル８に対する画像表示からスクリーンパネル７に対する画像表示に切り替える際には、スクリーンパネル７を閉じて開口部２ａを閉塞する。次に、上記した処理と同様にして、制御部５が、検出距離と規定距離とを比較する。この場合、制御部５は、検出距離が規定距離と同じため、開口部２ａが閉塞されていると判別して、検出距離に対応する発光量で光源２１を発光させると共に、画像データＤ２に代えて画像データＤ１を光変調光学系２３に出力する。これにより、投射部３が、投射光Ｌ２に代えて、投射光Ｌ１を投射する。この際に、投射レンズ１２は、制御部５の制御に従い、検出距離に対応する適正な拡大率で投射光Ｌ１を拡大すると共に、焦点調整を実行する。これにより、見易い明るさでかつ鮮明な画像Ｇ１がスクリーンパネル７の全域に亘って表示される。
【００３２】
このように、このプロジェクタ１によれば、制御部５が、開口部２ａの開閉（開放および閉塞）を判別すると共に、投射部３に対して、閉塞を判別したときに投射光Ｌ１を投射させ、開放を判別したときに投射光Ｌ２を投射させることにより、手動による切替操作を行うことなく、スクリーンパネル７の開閉だけで投射光Ｌ１および投射光Ｌ２を自動で切り替えることができる。したがって、例えば切替ボタンの操作し忘れに起因して左右反転した画像を表示するという不都合を確実に防止することができる。
【００３３】
また、オートフォーカス機能を有する投射レンズ１２を備えた投射部３を採用したことにより、手動による焦点調整を行うことなく確実かつ容易に画像Ｇ１，Ｇ２を鮮明に表示させることができる。また、制御部５が、投射部３の距離センサ１３から出力された距離検出信号Ｓ２に基づいて開口部２ａの開閉を判別することにより、距離検出用の専用スイッチ等を設けることなくオートフォーカス用の距離センサ１３を利用して投射光Ｌ１および投射光Ｌ２を切り替えて投射させることができるため、その分だけプロジェクタ１を簡易かつ安価に構成することができる。
【００３４】
さらに、制御部５が、距離センサ１３から出力された距離検出信号Ｓ２に基づく検出距離（投射部３とスクリーンパネル７またはスクリーンパネル８との間の距離）に対応する適正な（十分な）光量で光源２１を発光させることにより、手動による光量調整を行うことなく確実かつ容易に画像Ｇ１，Ｇ２を見易い明るさで表示させることができる。
【００３５】
なお、本発明は、上記した本発明の実施の形態に限定されない。例えば、本発明の実施の形態では、スクリーンパネル７を本体部２に開閉可能に取り付けた例について説明したが、これに限定されず、本体部２の正面側に対して脱着可能でかつ開口部２ａの開閉（開放および閉塞）を可能に構成した透過型スクリーンパネルを採用することもできる。また、本発明の実施の形態では、制御部５が、距離センサ１３から出力される距離検出信号Ｓ２に基づいて開口部２ａの開閉を判別する例について説明したが、例えば本体部２の開口部２ａの縁部にスクリーンパネル７の開閉によってオン／オフするドアスイッチを配設して、そのドアスイッチのスイッチ信号に基づいて開口部２ａの開閉を判別させることもできる。
【００３６】
また、投射部３の距離センサ１３としては、赤外線方式に限定されず、例えば超音波方式の距離センサなどの各種距離センサを採用することができる。さらに、投射レンズ１２としては、必ずしもオートフォーカス機能を有している必要はなく、焦点調整を手動操作でのみ実行可能な投射レンズを採用することもできる。
【図面の簡単な説明】
【図１】プロジェクタ１の斜視図である。
【図２】プロジェクタ１の構成を示すブロック図である。
【図３】光変調ユニット１１の概略構成を示す平面図である。
【図４】プロジェクタ１の概略構成を示す断面図である。
【図５】スクリーンパネル７を開放した状態のプロジェクタ１の斜視図である。
【図６】スクリーンパネル８に投射光Ｌ２を投射している状態のプロジェクタ１の断面図である。
【図７】スクリーンパネル８に画像Ｇ２を投射表示している状態のプロジェクタ１およびスクリーンパネル８の斜視図である。
【符号の説明】
１  プロジェクタ、２  本体部、２ａ  開口部、３  投射部、５  制御部、７，８  スクリーンパネル、１３  距離センサ、２１  光源、Ｓ２  距離検出信号、Ｇ１，Ｇ２  画像、Ｌ１，Ｌ２  投射光
【図１】
2004347984.tif 000003
【図２】
2004347984.tif 000004
【図３】
2004347984.tif 000005
【図４】
2004347984.tif 000006
【図５】
2004347984.tif 000007
【図６】
2004347984.tif 000008
【図７】
2004347984.tif 000009